【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
ＬＩＤＡＲ照明器であって、
ａ）複数のレーザ源を備えるレーザアレイであって、前記複数のレーザ源は各々、電気入力において励起されると光学ビームを生成し、前記複数のレーザ源は、前記複数のレーザ源のうちの少なくともいくつかからの前記生成された光学ビームが標的において空間的に重複し、かつ前記生成された光学ビームのうちの少なくともいくつかの他の光学ビームが前記標的において空間的に重複しないように、配列されている、レーザアレイと、
ｂ）レーザドライバの入力に電気的に接続されている出力を有するコントローラであって、前記レーザドライバは、複数の電気出力を備え、前記複数の電気出力のうちの１つは、前記複数のレーザ源のうちの１つに電気的に接続されており、前記コントローラは、前記標的において空間的に重複する前記複数のレーザ源のうちの少なくともいくつかからの前記生成された光学ビームが同時に励起されないように、発射パターンルールに基づいて、前記複数のレーザ源を励起するように構成されている、コントローラと
を備えるＬＩＤＡＲ照明器。
【請求項２】
前記レーザドライバの前記複数の電気出力のうちのそれぞれの電気出力は、前記複数のレーザ源のうちのそれぞれのレーザ源の電気入力に接続されている、請求項１に記載のＬＩＤＡＲ照明器。
【請求項３】
前記レーザドライバの前記複数の電気出力のうちの１つは、複数のレーザ源のうちの少なくとも２つの入力に電気的に接続されている、請求項１に記載のＬＩＤＡＲ照明器。
【請求項４】
前記レーザドライバの前記複数の電気出力のうちの１つは、複数のＶＣＳＥＬレーザを駆動するために使用される共通接点に電気的に接続されている、請求項１に記載のＬＩＤＡＲ照明器。
【請求項５】
前記コントローラは、前記標的において空間的に重複しない前記生成された光学ビームのうちの前記他の光学ビームのうちの少なくともいくつかが同時に励起されるように、発射パターンルールに基づいて、前記複数のレーザ源を励起するようにさらに構成されている、請求項１に記載のＬＩＤＡＲ照明器。
【請求項６】
前記発射パターンルールは、数学的ルールである、請求項１に記載のＬＩＤＡＲ照明器。
【請求項７】
前記発射パターンルールは、数学的ルールのセットである、請求項１に記載のＬＩＤＡＲ照明器。
【請求項８】
前記発射パターンルールは、眼安全性限界を満たす発射の許容シーケンスをもたらすように選択される、請求項１に記載のＬＩＤＡＲ照明器。
【請求項９】
前記発射パターンルールは、性能メトリックを満たす発射の許容シーケンスをもたらすように選択される、請求項１に記載のＬＩＤＡＲ照明器。
【請求項１０】
前記発射パターンルールは、擬似ランダムシーケンスを含む、請求項１に記載のＬＩＤＡＲ照明器。
【請求項１１】
前記レーザアレイは、垂直キャビティ面発光レーザ（ＶＣＳＥＬ）アレイを備える、請求項１に記載のＬＩＤＡＲ照明器。
【請求項１２】
前記ＶＣＳＥＬアレイ内の少なくとも１つのＶＣＳＥＬは、クラスタＶＣＳＥＬを備える、請求項１１に記載のＬＩＤＡＲ照明器。
【請求項１３】
前記標的において空間的に重複する前記複数のレーザ源のうちの少なくともいくつかは、眼安全性測定開口において重複する、請求項１に記載のＬＩＤＡＲ照明器。
【請求項１４】
前記眼安全性測定開口は、前記標的において約７ｍｍである、請求項１３に記載のＬＩＤＡＲ照明器。
【請求項１５】
前記コントローラは、前記レーザアレイによって生成された光パワーが前記標的における前記眼安全性測定開口における最大許容可能暴露（ＭＰＥ）限界を超えないように、前記複数のレーザ源を励起するようにさらに構成されている、請求項１３に記載のＬＩＤＡＲ照明器。
【請求項１６】
前記レーザアレイ内の前記複数のレーザ源は、複数の行内に位置付けられている、請求項１に記載のＬＩＤＡＲ照明器。
【請求項１７】
前記複数の行のうちの隣接行内の前記複数のレーザ源のうちの少なくともいくつかからの前記生成された光学ビームの少なくともいくつかは、前記標的において空間的に重複し、前記複数の行のうちの非隣接行内の前記複数のレーザ源からの前記生成された光学ビームのうちの少なくともいくつかの他の光学ビームは、前記標的において空間的に重複しない、請求項１６に記載のＬＩＤＡＲ照明器。
【請求項１８】
前記発射パターンルールは、非隣接行内のレーザ源の同時励起を可能にする発射ルールを含む、請求項１７に記載のＬＩＤＡＲ照明器。
【請求項１９】
前記発射パターンルールは、隣接行内のレーザ源の同時励起を妨げる発射ルールを含む、請求項１７に記載のＬＩＤＡＲ照明器。
【請求項２０】
前記レーザアレイは、前記レーザアレイ内の前記複数のレーザ源のうちの少なくとも２つの前記電気入力を接続する少なくとも１つの単一金属接点をさらに備える、請求項１に記載のＬＩＤＡＲ照明器。
【請求項２１】
前記レーザアレイは、行内の位置の前記レーザアレイ内の複数のレーザ源の前記電気入力を接続する少なくとも１つの単一金属接点をさらに備える、請求項１に記載のＬＩＤＡＲ照明器。
【請求項２２】
前記レーザアレイは、列内の位置の前記レーザアレイ内の複数のレーザ源の前記電気入力を接続する少なくとも１つの単一金属接点をさらに備える、請求項１に記載のＬＩＤＡＲ照明器。
【請求項２３】
ＬＩＤＡＲ照明器であって、
ａ）複数のレーザ源を備えるレーザアレイであって、前記複数のレーザ源は各々、電気入力において励起されると光学ビームを生成し、前記複数のレーザ源は、前記複数のレーザ源のうちの少なくともいくつかからの前記生成された光学ビームが標的において空間的に重複し、かつ前記生成された光学ビームのうちの少なくともいくつかの他の光学ビームが前記標的において空間的に重複しないように、配列されている、レーザアレイと、
ｂ）デジタル出力を備えるプロセッサと、
ｃ）前記プロセッサの前記デジタル出力に電気的に接続されているデジタル入力と出力とを有するコントローラと、
ｄ）前記コントローラの前記出力に電気的に接続されている入力と複数の電気出力とを有するレーザドライバであって、前記複数の電気出力のうちの１つは、前記複数のレーザ源のうちの１つに電気的に接続されており、前記コントローラは、前記標的において空間的に重複する前記複数のレーザ源のうちの少なくともいくつかからの前記生成された光学ビームが同時に励起されないように、発射パターンルールに基づいて、前記複数のレーザ源を励起するように構成されている、コントローラと
を備えるＬＩＤＡＲ照明器。
【請求項２４】
前記プロセッサは、前記コントローラを含む、請求項２３に記載のＬＩＤＡＲ照明器。
【請求項２５】
パターン発生器をさらに備える、請求項２３に記載のＬＩＤＡＲ照明器。
【請求項２６】
前記パターン発生器および前記レーザドライバは、単一集積回路内に形成されている、請求項２５に記載のＬＩＤＡＲ照明器。
【請求項２７】
前記コントローラに電気的に接続されているメモリをさらに備え、前記メモリは、パルス形状を記憶している、請求項２３に記載のＬＩＤＡＲ照明器。
【請求項２８】
前記メモリおよび前記レーザドライバは、単一集積回路内に形成されている、請求項２７に記載のＬＩＤＡＲ照明器。
【請求項２９】
前記レーザドライバの前記複数の電気出力のうちのそれぞれの電気出力は、前記複数のレーザ源のうちのそれぞれのレーザ源の電気入力に接続されている、請求項２３に記載のＬＩＤＡＲ照明器。
【請求項３０】
前記レーザドライバの前記複数の電気出力のうちの１つは、複数のレーザ源のうちの少なくとも２つの入力に電気的に接続されている、請求項２３に記載のＬＩＤＡＲ照明器。
【請求項３１】
前記コントローラは、前記標的において空間的に重複しない前記生成された光学ビームのうちの前記他の光学ビームのうちの少なくともいくつかが同時に励起されるように、発射パターンルールに基づいて、前記複数のレーザ源を励起するようにさらに構成されている、請求項２３に記載のＬＩＤＡＲ照明器。
【請求項３２】
前記発射パターンルールは、数学的ルールである、請求項２３に記載のＬＩＤＡＲ照明器。
【請求項３３】
前記発射パターンルールは、眼安全性限界を満たす発射の許容シーケンスをもたらすように選択される、請求項２３に記載のＬＩＤＡＲ照明器。
【請求項３４】
前記標的において空間的に重複する前記複数のレーザ源のうちの少なくともいくつかは、眼安全性測定開口において重複する、請求項２３に記載のＬＩＤＡＲ照明器。
【請求項３５】
前記コントローラは、前記レーザアレイによって生成された光パワーが前記標的における前記眼安全性測定開口における最大許容可能暴露（ＭＰＥ）限界を超えないように、前記複数のレーザ源を励起するようにさらに構成されている、請求項３４に記載のＬＩＤＡＲ照明器。
【請求項３６】
前記レーザアレイ内の前記複数のレーザ源は、複数の行内に位置付けられ、前記複数の行のうちの隣接行内の前記複数のレーザ源のうちの少なくともいくつかからの前記生成された光学ビームの少なくともいくつかは、前記標的において空間的に重複し、前記複数の行のうちの非隣接行内の前記複数のレーザ源からの前記生成された光学ビームのうちの少なくともいくつかの他の光学ビームは、前記標的において空間的に重複しない、請求項２３に記載のＬＩＤＡＲ照明器。
【請求項３７】
前記発射パターンルールは、非隣接行内のレーザ源の同時励起を可能にする発射ルールを含む、請求項３６に記載のＬＩＤＡＲ照明器。
【請求項３８】
前記発射パターンルールは、隣接行内のレーザ源の同時励起を妨げる発射ルールを含む、請求項３６に記載のＬＩＤＡＲ照明器。